(57)【要約】　　　（修正有）【課題】直径が異なる２種類のディスクの何れをも、ターンテーブルに載置させる装置を、簡素な構成で提供する。【解決手段】シャーシ２上には、駆動ギア８と、駆動ギア８に噛合するラック４２と駆動ギア８の回転を規制する爪片４３とを有しディスク周縁部に接して爪片４３が駆動ギア８から離れるように互いに逆向きに移動させられる一対のスライド体４、４０と、スライド体４０に操作される検出スイッチＳＷを具えている。スライド体４、４０は、大径ディスク又はディスク中心を仮想線Ｌ上に置いた小径ディスクＤ２が前面開口１０より挿入された場合は、駆動ギア８の回動を許す向きに移動するとともに、検出スイッチＳＷを操作して搬送ローラ７、７を回転させる。ディスク中心が仮想線Ｌから外れて小径ディスクＤ２が前面開口１０より挿入された場合は、一方のスライド体４しか移動せず、他方のスライド体４０の爪片４３が駆動ギア８の回転を規制した状態を保つ。【選択図】　　図６
2004071019.tif 000002
【特許請求の範囲】
【請求項１】
キャビネット（１）の前面開口（１０）から、直径の大きさが異なる大径ディスクＤ１と小径ディスクＤ２が選択的に挿入され、キャビネット（１）内のシャーシ（２）上に両ディスクが載置されるターンテーブル（３）、及びディスクをターンテーブル（３）に対して接近離間させる向きに搬送する搬送ローラ（７）（７）を具え、前面開口（１０）の幅は大径ディスクＤ１が稍余裕を持って通過可能に形成されて、大径ディスクＤ１はその中心が、ターンテーブル（３）の中心を通ってディスク挿入方向に沿う仮想線Ｌ上に配備されて前面開口（１０）に挿入されるディスク再生装置に於いて、
シャーシ（２）上には、駆動ギア（８）と、駆動ギア（８）に噛合するラック（４２）と駆動ギア（８）の回転を規制する爪片（４３）とディスク周縁部に接するピン（４１）を有して、ディスクの挿入により爪片（４３）が駆動ギア（８）から離れるように互いに逆向きに移動させられる一対のスライド体（４）（４０）と、少なくとも一方のスライド体（４０）に操作される検出スイッチ（ＳＷ）を具え、両スライド体（４）（４０）のピン（４１）（４１）間隔は、ディスクが挿入されない待機状態にて、小径ディスクＤ２の直径よりも小さく形成され、
スライド体（４）（４０）は、大径ディスクＤ１又はディスク中心を仮想線Ｌ上に置いた小径ディスクＤ２が前面開口（１０）より挿入された場合は、爪片（４３）（４３）が駆動ギア（８）から離れる向きに移動して、駆動ギア（８）の回動を許すとともに、検出スイッチ（ＳＷ）を操作して搬送ローラ（７）（７）を回転させる第１の動作と、
ディスク中心が仮想線Ｌから外れて小径ディスクＤ２が前面開口（１０）より挿入された場合は、少なくとも一方のスライド体（４０）の爪片（４３）が駆動ギア（８）の回転を規制した状態を保ち、小径ディスクＤ２の挿入を規制する第２の動作を行うことを特徴とするディスク再生装置。
【請求項２】
キャビネット（１）内にて搬送ローラ（７）（７）の奥部には、挿入されるディスクの周縁部に接して回動するロックレバー（５）、及びロックレバー（５）に接する保持レバー（６）が設けられ、
ディスク中心がターンテーブル（３）の中心に重なった状態にて、保持レバー（６）はディスク周縁部に接するとともに、ロックレバー（５）が保持レバー（６）に接して回動を規制している請求項１に記載のディスク再生装置。
【請求項３】
スライド体（４）（４０）及び駆動ギア（８）は、シャーシ（２）上にて搬送ローラ（７）（７）に対して、前面開口（１０）側に設けられた請求項１又は２に記載のディスク再生装置。
【発明の詳細な説明】
【０００１】
【発明の属する技術分野】
本発明は、直径の大きさが異なる２種類のディスクが選択的に再生されるディスク再生装置に関する。
【０００２】
【従来の技術】
直径の大きさが異なる２種類のディスク、具体的には直径８ｃｍのディスクと、直径１２ｃｍのディスクが選択的に再生されるディスク再生装置として、図７及び図８に示すものが開示されている（特開平５−１５９４３０号参照）。図７は従来の装置の断面平面図、図８は図７の左側面図である。以下の記載では、直径１２ｃｍのディスクを大径ディスク、直径８ｃｍのディスクを小径ディスクと呼ぶ。
これは車載用ディスク再生装置に関するものであり、キャビネット（１）の前面開口（１０）の幅は、大径のディスクが稍余裕を持って通過できる幅に形成されている。キャビネット（１）内には、一対の搬送ローラ（７）（７）が互いに接近離間可能に横向きに設けられて、キャビネット（１）の前面開口（１０）から挿入されたディスクを挟持して、キャビネット（１）内部に引き込み、又はディスクをキャビネット（１）内から前面開口（１０）に押し出す。搬送ローラ（７）（７）の奥部には、ターンテーブル（３）が昇降可能に配備される。ターンテーブル（３）の奥部には、左右何れかに偏って挿入された小径ディスクＤ２を左右何れかの向きに押して、小径ディスクＤ２をターンテーブル（３）に載置させる位置決めピン（３５）（３５）が設けられている。
大径ディスクＤ１はその中心が、ターンテーブル（３）の中心を通ってディスク挿入方向に沿う仮想線Ｌ上に配備されて、前面開口（１０）に挿入される。
【０００３】
搬送ローラ（７）（７）と前面開口（１０）との間には、３つのセンサ（ＳＥ１）（ＳＥ２）（ＳＥ３）が設けられ、各センサはディスク移行路の下方に配備された発光部（３７）と、ディスク移行路の上方に配備された受光部（３８）から構成される。受光部（３８）は制御回路（９）に繋がり、該制御回路（９）は位置決めピン（３５）（３５）を移動させる位置決めピン駆動部（３６）に繋がる。
図７に一点鎖線で示すように、大径ディスクＤ１が前面開口（１０）から挿入されると、先ずセンサ（ＳＥ２）の発光部（３７）からの光が遮られ、次に残り２つのセンサ（ＳＥ１）（ＳＥ３）の発光部（３７）からの光がともに遮られ、大径ディスクＤ１が挿入されたことが判る。図７に点線で示すように、小径ディスクＤ２が挿入されると、先ずセンサ（ＳＥ２）の発光部（３７）からの光が遮られ、次にセンサ（ＳＥ１）又はセンサ（ＳＥ３）の何れかの発光部（３７）からの光が遮られ、小径ディスクＤ２が挿入されたことが判る。
小径ディスクＤ２が、前面開口（１０）の左右何れかに偏って挿入されると、制御回路（９）はセンサ（ＳＥ１）（ＳＥ２）（ＳＥ３）からの信号により、小径ディスクＤ２が左右何れに偏って挿入されたかを判別して、位置決めピン駆動部（３６）にその旨を伝える。位置決めピン駆動部（３６）は、位置決めピン（３５）（３５）を左右何れかに動かして、小径ディスクＤ２の左右位置を補正して、ターンテーブル（３）に載置する。ターンテーブル（３）に載置された大径ディスクＤ１又は小径ディスクＤ２は、ピックアップ（図示せず）により再生される。このようにして、小径ディスクＤ２は仮想線Ｌに対し左右にずれて前面開口（１０）に挿入されても、正しくターンテーブル（３）に載置される。
【０００４】
【発明が解決しようとする課題】
図７及び図８に示す従来の構成では、センサ（ＳＥ１）（ＳＥ２）（ＳＥ３）、位置決めピン（３５）及び位置決めピン駆動部（３６）が必要で、構成が複雑であり、且つ複数のセンサ（ＳＥ１）（ＳＥ２）（ＳＥ３）を使用するから、コスト上昇を招来していた。出願人は、簡素な構成で、直径が異なる２種類のディスクの何れをも、ターンテーブル（３）に載置させることにより、コスト低減を図った。
本発明の目的は、直径が異なる２種類のディスクの何れをも、ターンテーブル（３）に載置させる装置を、簡素な構成で提供することにある。
【０００５】
【課題を解決する為の手段】
キャビネット（１）の前面開口（１０）の幅は、大径ディスクＤ１が稍余裕を持って通過可能に形成されている。大径ディスクＤ１はその中心が、ターンテーブル（３）の中心を通ってディスク挿入方向に沿う仮想線Ｌ上に配備されて前面開口（１０）に挿入される。
シャーシ（２）上には、駆動ギア（８）と、駆動ギア（８）に噛合するラック（４２）と駆動ギア（８）の回転を規制する爪片（４３）とディスク周縁部に接するピン（４１）を有して、ディスクの挿入により爪片（４３）が駆動ギア（８）から離れるように互いに逆向きに移動させられる一対のスライド体（４）（４０）と、少なくとも一方のスライド体（４０）に操作される検出スイッチ（ＳＷ）を具え、両スライド体（４）（４０）のピン（４１）（４１）間隔は、ディスクが挿入されない待機状態にて、小径ディスクＤ２の直径よりも小さく形成されている。
スライド体（４）（４０）は、大径ディスクＤ１又はディスク中心を仮想線Ｌ上に置いた小径ディスクＤ２が前面開口（１０）より挿入された場合は、爪片（４３）（４３）が駆動ギア（８）から離れる向きに移動して、駆動ギア（８）の回動を許すとともに、検出スイッチ（ＳＷ）を操作して搬送ローラ（７）（７）を回転させる第１の動作と、
ディスク中心が仮想線Ｌから外れて小径ディスクＤ２が前面開口（１０）より挿入された場合は、少なくとも一方のスライド体（４０）の爪片（４３）が駆動ギア（８）の回転を規制した状態を保ち、小径ディスクＤ２の挿入を規制する第２の動作を行う。
【０００６】
【作用及び効果】
大径ディスクＤ１が挿入された場合
キャビネット（１）の前面開口（１０）の幅は、大径ディスクＤ１が稍余裕を持って通過可能に形成されており、大径ディスクＤ１の中心はターンテーブル（３）の中心を通る仮想線Ｌ上に配備される。両スライド体（４）（４０）はディスク周縁部に押されて移動し、爪片（４３）（４３）が駆動ギア（８）から外れて、駆動ギア（８）の回動を許す。
少なくとも一方のスライド体（４０）が検出スイッチ（ＳＷ）を操作して搬送ローラ（７）（７）を回転させ、ピン（４１）（４１）間を通過した大径ディスクＤ１を引き込む。
小径ディスクＤ２が中心を仮想線Ｌ上に置いて挿入された場合
両スライド体（４）（４０）はディスク周縁部に押されて移動し、爪片（４３）（４３）が駆動ギア（８）から外れて、駆動ギア（８）の回動を許す。
少なくとも一方のスライド体（４０）が検出スイッチ（ＳＷ）を操作して搬送ローラ（７）（７）を回転させ、小径ディスクＤ２を引き込む。
小径ディスクＤ２の中心が仮想線Ｌから外れて挿入された場合
ディスク周縁部は何れか一方のスライド体（４）しか押さず、他方のスライド体（４０）の爪片（４３）は駆動ギア（８）の回転を規制した状態を保つ。駆動ギア（８）が回転しないから、駆動ギア（８）に噛合したスライド体（４）（４０）も移動しない。スライド体（４）（４０）のピン（４１）（４１）は、ディスク周縁部に接しているから、小径ディスクＤ２が更にキャビネット（１）内に挿入されることは規制される。これにより、使用者には小径ディスクＤ２を誤った位置から挿入したことが判る。
上記構成では、大径ディスクＤ１と小径ディスクＤ２の何れをも、正しくターンテーブル（３）に装着させるのに、複数のセンサ等が不要であり、従来に比して構成が簡素となる。従って、装置を製造するコストも低減できる。
【０００７】
【発明の実施の形態】
以下、本発明の一例を図を用いて詳述する。
図１は、キャビネット（１）の断面平面図であり、図２は、図１の左側面図である。キャビネット（１）の前面開口（１０）の左右幅は、大径ディスクＤ１が稍余裕を持って通過できる幅に形成されており、大径ディスクＤ１はその中心が、ターンテーブル（３）の中心を通ってディスク挿入方向に沿う仮想線Ｌ上に配備されて前面開口（１０）に挿入される。
キャビネット（１）内には、一対の搬送ローラ（７）（７）が横向きに設けられて、キャビネット（１）の前面開口（１０）から挿入されたディスクを挟持して、キャビネット（１）内部に引き込み、又はディスクをキャビネット（１）内から前面開口（１０）に押し出す。搬送ローラ（７）（７）はモータ（Ｍ）駆動され、該モータ（Ｍ）は制御回路（９）に繋がる。また、搬送ローラ（７）（７）は、互いに接近離間可能に設けられているが、搬送ローラ（７）（７）を接近離間させる構成は、出願人が特許２９０２８８６号にて開示している。
ターンテーブル（３）は、搬送ローラ（７）（７）の奥部にて昇降可能に配備され、該ターンテーブル（３）の上方には、クランパ（３０）が昇降可能に配備される。ターンテーブル（３）とクランパ（３０）とによってディスクを回転可能に挟持する。ターンテーブル（３）とクランパ（３０）を昇降させる構成は、出願人が以前特許２５５７７３０号で開示している。
【０００８】
キャビネット（１）の底面に対向したシャーシ（２）上には、第１スライド体（４）と第２スライド体（４０）が左右移動可能に設けられて、後記の如く両スライド体（４）（４０）は互いに逆向きに移動する。第１スライド体（４）は引張りバネ（４４）によって右向きに付勢されている。
シャーシ（２）上にて両スライド体（４）（４０）間には、駆動ギア（８）が仮想線Ｌ上に設けられている。スライド体（４）（４０）及び駆動ギア（８）は、搬送ローラ（７）（７）に対して、前面開口（１０）側に設けられている。後記の如く、スライド体（４）（４０）によって挿入を規制された小径ディスクＤ２は、搬送ローラ（７）（７）にまで運ばれない。駆動ギア（８）及び両スライド体（４）（４０）は、ディスク移行路の下方に位置して、ディスクの挿入を妨げない。
各スライド体（４）（４０）は、駆動ギア（８）に噛合するラック（４２）と、駆動ギア（８）の歯面に嵌まる爪片（４３）と、ディスク周縁部に接する第１ピン（４１）を具え、互いのラック（４２）（４２）が駆動ギア（８）を挟んで対向している。ディスクが挿入されない待機状態で、爪片（４３）は駆動ギア（８）の歯面に嵌まって、駆動ギア（８）の回転を規制している。また、両スライド体（４）（４０）の第１ピン（４１）（４１）の間隔は、小径ディスクＤ２の直径よりも小さく形成されている。
第２スライド体（４０）の右方には、回路基板（１５）が設けられ、該回路基板（１５）上に第２スライド体（４０）に押し込まれる検出スイッチ（ＳＷ）が設けられている。検出スイッチ（ＳＷ）は制御回路（９）に繋がり、該検出スイッチ（ＳＷ）が押し込まれると、制御回路（９）は搬送ローラ（７）（７）を当接させるとともに、モータ（Ｍ）に通電して搬送ローラ（７）（７）を回転させる。ディスクが前面開口（１０）から引き込まれ、又はディスクがターンテーブル（３）から排出される。
【０００９】
シャーシ（２）上にて搬送ローラ（７）（７）の奥部には、ロックレバー（５）が回動自在に設けられ、該ロックレバー（５）は反時計方向にバネ（５１）付勢されている。ロックレバー（５）の一端部には、ディスク周縁部に接する第２ピン（５０）が設けられ、ディスクの周縁部が第２ピン（５０）を押すと、ロックレバー（５）が回動する。シャーシ（２）上にてロックレバー（５）の奥部には、第１、第２の保持レバー（６）（６０）が設けられ、第１保持レバー（６）の周縁にはロックレバー（５）の端部（５ａ）が嵌まる第１凹部（６２）、第２凹部（６３）が開設されている。待機状態ではロックレバー（５）の端部（５ａ）が第１凹部（６２）の端面に接し、第１保持レバー（６）の時計方向の回動を規制している。
各保持レバー（６）（６０）の一端部には、ディスク周縁部に接する第３ピン（６１）が設けられ、第１保持レバー（６）の他端部には長孔（６４）が開設され、第２保持レバー（６０）の他端部には該長孔（６４）に嵌まる嵌合ピン（６５）が設けられている。第１保持レバー（６）が回動すると、第２保持レバー（６０）が連動して回動する。待機状態では、長孔（６４）及び嵌合ピン（６５）は、両保持レバー（６）（６０）の中心に対して、キャビネット（１）の奥側に位置している。
一方の保持レバー（６０）の側方には、検知レバー（９６）を回動自在に設けたディスク検知機構（９５）が設けられている。検知レバー（９６）の先端部がディスク周縁に接して、ディスクがターンテーブル（３）にまでローディングされたことを検知すると、クランパ（３０）がターンテーブル（３）に合わさって、ディスクがチャッキングされる。
【００１０】
（具体的動作）
キャビネット（１）の前面開口（１０）は、大径ディスクＤ１の直径に対して稍余裕ある幅に開設されているから、大径ディスクＤ１は左右ガタが規制された状態で、キャビネット（１）内に挿入される。従って、大径ディスクＤ１の中心は、仮想線Ｌ上に位置して、ターンテーブル（３）に載置される。しかし、小径ディスクＤ２は前面開口（１０）に対して左右ガタがあるから、必ずしも仮想線Ｌ上にディスク中心が位置するとは限らない。本例は、小径ディスクＤ２の中心が、仮想線Ｌからずれてキャビネット（１）内に挿入せんとしたときに、該小径ディスクＤ２を奥に引き込むことを防ぐ点に特徴がある。
【００１１】
大径ディスクが挿入されたとき
図３（ａ）、（ｂ）及び図４は、キャビネット（１）の断面平面図であり、大径ディスクＤ１を挿入する状態を示す。大径ディスクＤ１が前面開口（１０）から挿入されると、図３（ａ）に示すように、大径ディスクＤ１の周縁部は、両スライド体（４）（４０）の第１ピン（４１）（４１）を側方に押す。第１スライド体（４）は引張りバネ（４４）に抗して左方に、第２スライド体（４０）は右方に移動し、爪片（４３）（４３）が駆動ギア（８）から外れて、駆動ギア（８）の回動を許す。両スライド体（４）（４０）が移動して第１ピン（４１）（４１）の間隔が広くなって、大径ディスクＤ１のキャビネット（１）内への挿入を許す。
第２スライド体（４０）は、検出スイッチ（ＳＷ）を押す。制御回路（９）は搬送ローラ（７）（７）を当接させるとともに、モータ（Ｍ）に通電して搬送ローラ（７）（７）を回転させる。大径ディスクＤ１は前面開口（１０）からキャビネット（１）の奥部に引き込まれる。
【００１２】
図３（ｂ）に示すように、大径ディスクＤ１の周縁部は、ロックレバー（５）の第２ピン（５０）をバネ（５１）付勢に抗して時計方向に回動させる。ロックレバー（５）の端部は、第１保持レバー（６）の第１凹部（６２）から外れ、第１保持レバー（６）の回動を許す。
大径ディスクＤ１が更に引き込まれると、ディスク周縁部は両保持レバー（６）（６０）の第３ピン（６１）（６１）を押して、両保持レバー（６）（６０）を互いに逆向きに回動させる。第３ピン（６１）（６１）の間隔が広がり、大径ディスクＤ１の挿入を許す。
図４に示すように、大径ディスクＤ１の中心とターンテーブル（３）の中心が重なるまで、大径ディスクＤ１が搬送されると、両保持レバー（６）（６０）の長孔（６４）及び嵌合ピン（６５）は、両保持レバー（６）（６０）の中心に対して手前に配備される。ロックレバー（５）の第２ピン（５０）がディスク周縁部から離れると、引張りバネ（５１）によりロックレバー（５）は戻される。ロックレバー（５）の端部（５ａ）は、第２凹部（６３）に嵌まって、両保持レバー（６）（６０）の不用意な回動を防ぐ。これにより、大径ディスクＤ１は、ターンテーブル（３）上に載置された状態が保たれる。
ディスク検知機構（９５）の検知レバー（９６）が大径ディスクＤ１の周縁に接して、大径ディスクＤ１がローディングされたことを検知すると、クランパ（３０）がターンテーブル（３）に重なって、大径ディスクＤ１がチャッキングされる。搬送ローラ（７）（７）が互いに離間して、大径ディスクＤ１の回転を許す。
第１スライド体（４）は、引張りバネ（４４）によって戻され、駆動ギア（８）の回転により第２スライド体（４０）も戻される。爪片（４３）（４３）が駆動ギア（８）に嵌まる。
大径ディスクＤ１を排出するときは、搬送ローラ（７）（７）にてディスクを挟持し、搬送ローラ（７）（７）をディスク挿入時とは反対方向に回転させる。
【００１３】
小径ディスクＤ２が中心を仮想線Ｌ上に置いて挿入された場合
図５（ａ）、（ｂ）は、キャビネット（１）の断面平面図であり、小径ディスクＤ２の中心を仮想線Ｌ上に置いて挿入する状態を示す。大径ディスクＤ１を挿入するときと同様に、小径ディスクＤ２の周縁部は、両スライド体（４）（４０）の第１ピン（４１）（４１）を側方に押す。第１スライド体（４）、第２スライド体（４０）は互いに逆向きに移動して、爪片（４３）（４３）が駆動ギア（８）から外れて、駆動ギア（８）の回動を許す。両スライド体（４）（４０）の移動によって、第１ピン（４１）（４１）の間隔が広くなって、大径ディスクＤ１のキャビネット（１）内への挿入を許す。
第２スライド体（４０）は、検出スイッチ（ＳＷ）を押す。制御回路（９）は搬送ローラ（７）（７）を当接させるとともに、モータ（Ｍ）に通電して搬送ローラ（７）（７）を回転させる。小径ディスクＤ２は前面開口（１０）からキャビネット（１）の奥部に引き込まれる。大径ディスクＤ１のときと同様に、両スライド体（４）（４０）が元の位置に戻る。
【００１４】
図５（ｂ）に示すように、小径ディスクＤ２の周縁部が保持レバー（６）（６０）の第３ピン（６１）（６１）に接するときに、小径ディスクＤ２の中心とターンテーブル（３）の中心が重なる。大径ディスクＤ１が搬送されるときと異なり、ロックレバー（５）は回動せず、従って、保持レバー（６）（６０）も回動しない。
ディスク検知機構（９５）の検知レバー（９６）が小径ディスクＤ２の周縁に接して、小径ディスクＤ２がローディングされたことを検知すると、クランパ（３０）がターンテーブル（３）に重なって、小径ディスクＤ２がチャッキングされる。
【００１５】
小径ディスクＤ２の中心が仮想線Ｌから外れて挿入された場合
図６（ａ）、（ｂ）は、キャビネット（１）の断面平面図であり、小径ディスクＤ２の中心が仮想線Ｌから外れて挿入される状態を示す。
図６（ａ）に示すように、小径ディスクＤ２の中心が仮想線Ｌから左側に外れて挿入されると、小径ディスクＤ２の周縁部は、第１スライド体（４）の第１ピン（４１）を左向きに押し、第１スライド体（４）の爪片（４３）は駆動ギア（８）から外れる。しかし、小径ディスクＤ２の周縁部は、第２スライド体（４０）の第１ピン（４１）に接しないから、第２スライド体（４０）は移動せず、第２スライド体（４０）の爪片（４３）は駆動ギア（８）に噛み合ったままである。従って、駆動ギア（８）は回転できない。第１スライド体（４）は、ラック（４２）と駆動ギア（８）が噛み合ったまま、それ以上移動できないから、第１スライド体（４）と第２スライド体（４０）の第１ピン（４１）（４１）の間隔が広くならない。小径ディスクＤ２は搬送ローラ（７）（７）に達せず、キャビネット（１）への挿入が規制される。これにより、小径ディスクＤ２がターンテーブル（３）に載置されない虞れが防止される。
【００１６】
また、図６（ｂ）に示すように、小径ディスクＤ２の中心が仮想線Ｌから右側に外れて挿入されると、小径ディスクＤ２の周縁部は、第２スライド体（４０）の第１ピン（４１）を右向きに押し、第２スライド体（４０）は検出スイッチ（ＳＷ）を押し込むとともに、第２スライド体（４０）の爪片（４３）は駆動ギア（８）から外れる。しかし、小径ディスクＤ２の周縁部は、第１スライド体（４）の第１ピン（４１）に接しないから、第１スライド体（４）は移動せず、第１スライド体（４）の爪片（４３）は駆動ギア（８）に噛み合ったままである。従って、駆動ギア（８）は回転できない。第２スライド体（４０）は、ラック（４２）と駆動ギア（８）が噛み合ったまま、それ以上移動できないから、第１スライド体（４）と第２スライド体（４０）の第１ピン（４１）（４１）の間隔が広くならない。小径ディスクＤ２はキャビネット（１）への挿入が規制される。これにより、小径ディスクＤ２がターンテーブル（３）に載置されない虞れが防止される。
【００１７】
本例にあっては、大径ディスクＤ１と小径ディスクＤ２の何れをも、正しくターンテーブル（３）に装着させるのに、複数のセンサ等が不要であり、従来に比して構成が簡素となる。従って、装置を製造するコストも低減できる。
【００１８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、駆動ギア（８）は電気的又は機械的に搬送ローラ（７）（７）に繋がっていてもよい。この場合、駆動ギア（８）内に駆動ギア（８）の回転を検出するセンサが設けられ、該センサから駆動ギア（８）が回転している旨の信号を制御回路（９）が検出したときのみ搬送ローラ（７）（７）を回転させる等が考えられる。これにより、駆動ギア（８）が回転しないと、搬送ローラ（７）（７）は回転できない構成としてもよい。
【図面の簡単な説明】
【図１】キャビネットの断面平面図である。
【図２】図１の左側面図である。
【図３】（ａ）、（ｂ）は、キャビネットの断面平面図であり、大径ディスクＤ１を挿入する状態を示す。
【図４】キャビネットの断面平面図であり、大径ディスクＤ１を挿入する状態を示す。
【図５】（ａ）、（ｂ）は、キャビネットの断面平面図であり、小径ディスクＤ２の中心を仮想線Ｌ上に置いて挿入する状態を示す。
【図６】（ａ）、（ｂ）は、キャビネットの断面平面図であり、小径ディスクＤ２の中心が仮想線Ｌから外れて挿入される状態を示す。
【図７】従来の装置のキャビネットの断面平面図である。
【図８】図７の左側面図である。
【符号の説明】
（１）　　キャビネット
（３）　　ターンテーブル
（４）　　第１スライド体
（７）　　搬送ローラ
（８）　　駆動ギア
（１０）　　前面開口
（４０）　　第２スライド体
（４２）　　ラック
（４３）　　爪片
【図１】
2004071019.tif 000003
【図２】
2004071019.tif 000004
【図３】
2004071019.tif 000005
【図４】
2004071019.tif 000006
【図５】
2004071019.tif 000007
【図６】
2004071019.tif 000008
【図７】
2004071019.tif 000009
【図８】
2004071019.tif 000010